(57)【要約】【課題】マッサージの強弱調整を的確に且つ適切に行う。。【解決手段】空気袋７を膨張収縮させることでマッサージを行うエアマッサージ機で、空気袋７にエアを供給するエアポンプはその吐出能力が可変であり、該エアポンプを作動させて操作部からの指示に応じた圧力まで空気袋を膨張させる制御部は、上記エアポンプを吐出能力大の状態で起動し、その後、操作部から指示された圧力に応じてエアポンプの吐出能力を低下させる。マッサージの強弱設定にかかわらず、エアポンプは最大吐出能力で起動させるようにしたものである。。【選択図】図１
2005349138.tif 000002
【特許請求の範囲】
【請求項１】
空気袋を膨張収縮させることでマッサージを行うエアマッサージ機において、空気袋にエアを供給するエアポンプはその吐出能力が可変であるとともに、該エアポンプを作動させて操作部からの指示に応じた圧力まで空気袋を膨張させる制御部は、上記エアポンプを吐出能力大の状態で起動し、その後、操作部から指示された圧力に応じてエアポンプの吐出能力を低下させるものであることを特徴とするエアマッサージ機。
【請求項２】
制御部はエアポンプの吐出能力を繰り返して変化させるものであることを特徴とする請求項１記載のエアマッサージ機。
【請求項３】
制御部は、空気袋の圧力が求める圧力になるまでに要する時間が同じとなるように吐出能力を変化させるものであることを特徴とする請求項１記載のエアマッサージ機。
【発明の詳細な説明】
【技術分野】
【０００１】
本発明は、エアポンプから供給するエアによる空気袋の膨張と空気袋からエアを抜くことによる収縮とを繰り返すことでマッサージを行うエアマッサージ機に関するものである。
【背景技術】
【０００２】
エアマッサージ機においては、膨張時の空気袋内の空気圧を高くすれば、強いマッサージを得ることができ、上記空気圧を低くすれば、弱いマッサージを得ることができるために、エアマッサージ機では一般にエアポンプの吐出能力を調整することができるようにして、マッサージの強さを調整することができるようにしている。ちなみに、エアポンプの作動時間を調整することで空気袋内の圧力を異ならせた時には、低い圧力で良い場合と、高い圧力が必要な場合とで、空気袋の膨張に要する時間が異なってくるために、膨張収縮の時間的サイクルがマッサージ効果に及ぼす影響の大きいエアマッサージでは不適であり、このために空気袋内の圧力が低くて良い弱マッサージの場合は、エアポンプの吐出能力を下げることで、目標とする低い圧力に達するまでに要する時間が短くなってしまわないようにしている。
【０００３】
しかし、エアポンプの吐出能力を下げた時には、空気袋に供給されるエア流量も少なくなってしまうために、空気袋の膨張時の動作スピードも落ちてしまい、好ましいマッサージを得られなくなることが多い上に、ポンプの出力が安定しないことがあった。
【特許文献１】特開平１１−２９０４０８号公報
【発明の開示】
【発明が解決しようとする課題】
【０００４】
本発明は上記の従来の問題点に鑑みて発明したものであって、マッサージの強弱調整を的確に且つ適切に行うことができるエアマッサージ機を提供することを課題とするものである。
【課題を解決するための手段】
【０００５】
上記課題を解決するために本発明は、空気袋を膨張収縮させることでマッサージを行うエアマッサージ機において、空気袋にエアを供給するエアポンプはその吐出能力が可変であるとともに、該エアポンプを作動させて操作部からの指示に応じた圧力まで空気袋を膨張させる制御部は、上記エアポンプを吐出能力大の状態で起動し、その後、操作部から指示された圧力に応じてエアポンプの吐出能力を低下させるものであることに特徴を有している。マッサージの強弱設定にかかわらず、エアポンプは最大吐出能力で起動させるようにしたものである。
【０００６】
上記制御部はエアポンプの吐出能力を繰り返して変化させるものであってもよい。変化に富んだマッサージを得ることができる。
【０００７】
また制御部は、空気袋の圧力が求める圧力になるまでに要する時間が同じとなるように吐出能力を変化させるものであることが、マッサージに好適な膨張収縮周期を得られる点で好ましい。
【発明の効果】
【０００８】
本発明では、マッサージの強弱設定にかかわらず、エアポンプは最大吐出能力で起動させ、その後、必要に応じた吐出能力に落とすために、空気袋は望ましい動作スピードで膨張を開始するものであり、しかも途中で吐出能力が落とされるために空気袋内の圧力が求める圧力まで達するまでには時間がかなるために、マッサージに好適な膨張収縮周期を得ることができ、さらにはエアポンプの出力が安定しないことが無くなるものである。
【発明を実施するための最良の形態】
【０００９】
以下、本発明を添付図面に示す実施形態に基いて説明すると、図１に示すのは座部２と背もたれ３と足載せ台６とを備えた椅子における足載せ台６や座部２あるいは背もたれ３等にエアマッサージ用の空気袋７を配置したもので、これら空気袋７は図３に示すようにエアポンプと排気弁とを備えたエア駆動装置４に接続されている。図中６は操作指示の入力用の操作器、１は操作器の操作指示に応じた動作をエア駆動装置４に行わせる制御部である。
【００１０】
上記エア駆動装置４におけるエアポンプは、たとえば位相制御やデューティ制御等によってエア吐出能力を切り替えることができるようにされたもので、図４に示すイは吐出能力を最大にした時の空気袋７の圧力変化を、ロは吐出能力を中にした時の空気袋７の圧力変化を、ハは吐出能力を小にした時の空気袋７内の圧力変化を示している。
【００１１】
そして操作器６から強のマッサージが指示された場合、制御部１はエア駆動装置４におけるエアポンプを最大吐出能力で所要の時間Ｔだけ作動させて、図１(a)に示すように、所要の圧力Ｐまで空気袋７内の圧力を上昇させる。そして制御部１は上記圧力Ｐをしばし保持させた後、エア駆動装置４における排気弁を開いて空気袋７内の空気を抜くことで空気袋７を収縮させる。
【００１２】
一方、操作器６から空気袋７の圧力をＰ−αとする中のマッサージが指示された場合、制御部１はエアポンプを中程度の吐出能力で作動させるのではなく、図１(b)に示すようにまずは最大吐出能力で始動させ、ある時間が経過もしくはある圧力に達した時点で吐出能力を中に落とすことで、所要時間Ｔで空気袋７の圧力をＰ−αまで上昇させる。
【００１３】
さらに操作器６から空気袋７の圧力をＰ−βとする弱のマッサージが指示された場合、制御部１は図１(c)に示すようにまずはエアポンプを最大吐出能力で始動させ、ある時間が経過もしくはある圧力に達した時点で吐出能力を小に落とすことで、所要時間Ｔで空気袋７の圧力をＰ−βまで上昇させる。
【００１４】
弱のマッサージが指示された場合、エアポンプを最大吐出能力で始動させ、次いで中の吐出能力でしばしエアポンプを作動させ、その後、小の吐出能力でエアポンプを作動させるようにしてもよい。つまり、段階的に吐出能力を落としていくようにしてもよい。
【００１５】
このほか、吐出能力を小とした状態でエアポンプの動作時間を長くすれば空気袋７内の圧力を前記圧力Ｐ−αまで上昇させることができる場合には、中の強さのマッサージが指示された時、エアポンプを最大吐出能力で始動させ、ある時間が経過もしくはある圧力に達した時点で吐出能力を小に落とすことで、所要時間Ｔで空気袋７の圧力をＰ−αまで上昇させるようにしてもよい。
【００１６】
また、空気袋７内の圧力を上昇させる過程において、途中でエアポンプを短時間だけ停止させる状態を設けたり、図５に示すように大吐出能力の状態と小吐出能力の状態とを繰り返したりするようにしてもよい。
【図面の簡単な説明】
【００１７】
【図１】本発明の実施の形態の一例の動作を示すもので、(a)は強マッサージ、(b)は中マッサージ、(c)は弱マッサージの際の空気袋内の圧力変化を示す説明図である。
【図２】同上の側面図である。
【図３】同上のブロック図である。
【図４】同上の吐出能力の相違を示す説明図である。
【図５】他例の説明図である。
【符号の説明】
【００１８】
１  制御部
４  エア駆動装置
７  空気袋
【図１】
2005349138.tif 000003
【図２】
2005349138.tif 000004
【図３】
2005349138.tif 000005
【図４】
2005349138.tif 000006
【図５】
2005349138.tif 000007